(57)【特許請求の範囲】
【請求項１】
積算電力計と電力負荷設備との間に設置され、給電停止及び停止解除を行う無停電端子に差し込まれたバイパスプラグを引き抜くためのプラグ引き抜き工具において、
少なくとも所定の間隔をおいて平行に突出した一対の脚部を有するベース部材と、
前記一対の脚部の対向空間内を該一対の脚部の伸長方向に沿って手動操作により前後に移動可能な可動部材と、を有し、
該可動部材は、前記一対の脚部の対向空間側にそれぞれ設けた溝部に、可動部材本体部の側部が摺動移動可能に嵌挿されて構成され、前進動作で前記一対の脚部の先端から突出し、後進動作で前記一対の脚部の対向空間に収納される突出可能部を有し、
該突出可能部は、前記一対の溝部に嵌挿された前記可動部材本体部の一辺及び該一辺に相対する他の一辺の延長上に弾性部材を介して取り付けられた一対のプラグ保持舌片で構成され、該一対のプラグ保持舌片は、前記対向空間内に位置するときは前記弾性部材によって互いに離反する方向に付勢されており、前記対向空間から突出した状態のときは前記弾性部材によって互いに離反動作を行い、該突出状態で前記バイパスプラグに係止可能な状態となり、前記収納状態で前記バイパスプラグを挟持係止する構成を有し、
前記バイパスプラグは、前記引き抜き動作中及び引き抜かれた後は、前記プラグ保持舌片を介して前記一対の脚部間に略隙間なく挟持係止されることを特徴とするプラグ引き抜き工具。
【請求項２】
前記プラグ保持舌片の前記対向空間側面は、前記対向空間内への収納状態のときに係止すべきバイパスプラグの外側形状に係合する形状を有することを特徴とする請求項１項に記載のプラグ引き抜き工具。
【請求項３】
前記可動部材には、該可動部材を移動させるための一対の操作レバーが取り付けられていることを特徴とする請求項１又は２の何れか１項に記載のプラグ引き抜き工具。
【発明の詳細な説明】
【技術分野】
【０００１】
本発明は、プラグ引き抜き工具、特に、電力需要者側に設置された積算電力計に接続され、給電停止及び停止解除を行う無停電端子に差し込まれているプラグを引き抜くためのプラグ引き抜き工具に関する。
【背景技術】
【０００２】
電力需要者が経済的な事情等により、消費電力量に対する使用料金が支払えない状況にある場合、電力供給者は電力需要者に対して電力の供給を停止する場合がある。その場合、電力の供給の停止を行うことが近い将来に必要となる電力需要者に対して、無停電端子（例えば、特許文献１を参照。）を設置し、電力需要者が消費した消費電力量に対して料金を支払わない場合、上記の予め取り付けておいた無停電端子に差し込まれているバイパスプラグを抜くという作業が必要となる。
【０００３】
図４は、無停電端子の取り付け状態を示す説明図である。柱上トランス６００で適正に降圧された電圧は、引き込み線６１０、電源側電線６１２、６１３、６１４を介して積算電力計７１０に入力され、負荷側電線７１２、７１３、７１４を介して電力消費機器７２０に印加される。電力消費機器７２０で消費された電力量は積算電力計７１０によって計量され、計量された消費電力量に応じて電力使用料金が請求され、電力需要者はその使用料金を支払うこととなる。
【０００４】
前述のように、電力需要者が経済的な事情等により、その使用料金が支払えない状況にあると、電力供給者は電力需要者に対して電力の供給を停止するため、電力需要者に対して、無停電端子８００を積算電力計７１０と電力消費機器７２０との間に電気的に設置する。具体的に、無停電端子８００は図４に示すように、負荷側電線７１２、７１４を切断し、その間に挿入される。負荷側電線７１３は積算電力計７１０と電力消費機器７２０に接続されたままである。ここで、積算電力計７１０と無停電端子８００を接続する線をリード線７１２ａ、７１４ａと記している。
【０００５】
図５は、無停電端子の概略断面図（ａ）と、それに用いるバイパスプラグの正面図（ｂ）と側面図（ｃ）である。以下、無停電端子８００について説明するが、重複を避けるため、リード線７１２ａと負荷側電線７１２に関してのみ説明し、リード線７１４ａと負荷電線７１４に関しては省略する。
【０００６】
無停電端子８００は、合成樹脂製のケース８１１と、ケース８１１の開口部を塞ぐ合成樹脂製のカバー８１２と、ケース８１１内に絶縁的に分離配置された２つの導電ブロック８１３ａ、８１４ａとを備えている。一方の導電ブロック８１３ａには、止め螺子８１５ａによりリード線７１２ａが固定されている。
【０００７】
導電ブロック８１３ａ、８１４ａには、それぞれ、バイパスプラグ８５０の一方及び他方の端子８５１、８５２を挿入することができるプラグ端子挿入孔８２２ａ、８２３ａが平行に設けられている。これらのプラグ端子挿入孔８２２ａ、８２３ａに対応する部位のケース８１１は、それぞれ、プラグ端子挿入孔８２２ａ、８２３ａに連通すると共に、バイパスプラグ８５０の端子８５１、８５２が挿入可能なプラグ嵌合孔８２４ａ、８２５ａが設けられている。
【０００８】
また、無停電端子８００には、負荷側電線７１２が挿入できるように、導電ブロック８１４ａに引込線挿入孔８２６ａが設けられており、この引込線挿入孔８２６ａ内に先端が挿入された負荷側電線７１２は導電ブロック８１４ａに止め螺子８２７により保持されるように構成されている。
【０００９】
図５（ｂ）に示すように、バイパスプラグ８５０は、略コ字状に折曲された導電線と、この導電線の端子８５１、８５２を除く部分を合成樹脂によりモールドした絶縁本体部８５５とを備え、この絶縁本体部８５５は、略長方体の形状を有している。端子８５１、８５２は、これらが略平行になるように絶縁本体部８５５の一方の側面から延びており、また絶縁本体部８５５は、端子８５１、８５２が延びている側面と反対側に、絶縁本体部８５５の横幅より厚い頭部８５６を有している。頭部８５６は、後述する滑り止めとして作用する。また、絶縁本体部８５５の側部であって頭部８５６の近傍に一対の凹部８５７が形成されている。
【００１０】
作業者がバイパスプラグ８５０の両端子８５１、８５２を、プラグ嵌合孔８２４ａ、８２５ａを介して、導電ブロック８１３ａ、８１４ａのプラグ端子挿入孔８２２ａ、８２３ａに挿入すると、両端子８５１、８５２は、それぞれ、プラグ端子挿入孔８２２ａ、８２３ａに電気的に接続され、取り外し困難となる。従って、リード線７１２ａと負荷側電線７１２とは、止め螺子８１５ａ、導電ブロック８１３ａ、端子８５１、端子８５２、導電ブロック８１４ａ、止め螺子８２７を介して電気的に接続される。同様に、リード線７１４ａと負荷側電線７１４に関しても、同一の構成が採用されており、説明は省略する。なお、図４に示すように、バイパスプラグ８５０が互いに接触しないように、仕切り壁８７０がケース８１１に一体的に設けられている。
【００１１】
図６は、作業者がバイパスプラグを無停電端子から抜き取る作業を示す説明図である。積算電力計７１０及び無停電端子８００は、家屋７００の比較的高い位置、例えば、床面から１．８ｍ〜２ｍの範囲に設置されているので、作業者は、梯子や脚立に乗った状態で無停電端子８００に差し込まれているバイパスプラグ８５０を抜き取る作業を行うこととなる。
【００１２】
作業者は、例えば、右手Ｈの親指Ｈ１と人差し指Ｈ２とでバイパスプラグ８５０の絶縁本体部８５５を把持し、左手ｈで無停電端子８００を把持する。そして、絶縁本体部８５５及び無停電端子８００を把持した状態で、右手Ｈと左手ｈとを相反する方向に移動させるべく、両腕に力を入れる。この際、頭部８５６が絶縁本体部８５５より大きいので、頭部８５６は滑り止めとして作用する。そのようにして、両端子８５１、８５２は、それぞれ、プラグ端子挿入孔８２２ａ、８２３ａから徐々に引き抜かれ、やがてプラグ端子挿入孔８２２ａ、８２３から完全に抜けることとなる。
【００１３】
バイパスプラグ８５０が抜き取られることにより、リード線７１２ａと負荷側電線７１２及びリード線７１４ａと負荷側電線７１４とは電気的に切断されるので、電力需要者は電力消費機器７２０を使用することができなくなる。
【００１４】
【特許文献１】実用新案登録公報  第３１１２７１５号
【発明の開示】
【発明が解決しようとする課題】
【００１５】
無停電端子８００及びバイパスプラグ８５０は、積算電力計７１０に接続されたリード線７１２ａ、７１４ａによって、積算電力計７１０の近傍且つ作業者の背丈よりも高い位置の空間に浮いた状態に維持されており、また両端子８５１、８５２はプラグ端子挿入孔８２２ａ、８２３ａに取り外し困難に挿入されているので、作業者が無停電端子８００に差し込まれているバイパスプラグ８５０を引き抜くことは容易ではない。従って、作業者は、梯子や脚立に乗った状態で、相当な力をもって無停電端子８００に差し込まれているバイパスプラグ８５０を引き抜く作業を強いられ、時には作業者はペンチでバイパスプラグ８５０を引き抜かねばならないこともある。
【００１６】
また、両端子８５１、８５２が、プラグ端子挿入孔８２２ａ、８２３ａから完全に抜けると、両端子８５１、８５２とプラグ端子挿入孔８２２ａ、８２３ａとの間で生じていた摩擦力が急になくなるので、両手Ｈ、ｈには、互いに離れる方向に反動が働くこととなる。作業者の状態によっては、例えば、左手ｈが積算電力計７１０にぶつかり、右手Ｈは作業者自身にぶつかることもある。そのようなことが生じると、積算電力計７１０やバイパスプラグ８５０が破損し、また作業者が姿勢を崩して脚立や梯子から落ちて怪我をする恐れがある。
【００１７】
本発明は、上記課題に鑑みてなされたものであり、その目的は、積算電力計と電力負荷設備との間に設置され、給電停止及び停止解除を行う無停電端子に差し込まれたバイパスプラグを容易に引き抜くことが可能なプラグ引き抜き工具を提供することにある。
【課題を解決するための手段】
【００１８】
上記目的を達成するため、請求項１に記載のプラグ引き抜き工具は、積算電力計と電力負荷設備との間に設置され、給電停止及び停止解除を行う無停電端子に差し込まれたバイパスプラグを引き抜くためのプラグ引き抜き工具において、少なくとも所定の間隔をおいて平行に突出した一対の脚部を有するベース部材と、前記一対の脚部の対向空間内を該一対の脚部の伸長方向に沿って手動操作により前後に移動可能な可動部材と、を有し、該可動部材は、前記一対の脚部の対向空間側にそれぞれ設けた溝部に、可動部材本体部の側部が摺動移動可能に嵌挿されて構成され、前進動作で前記一対の脚部の先端から突出し、後進動作で前記一対の脚部の対向空間に収納される突出可能部を有し、該突出可能部は、前記一対の溝部に嵌挿された前記可動部材本体部の一辺及び該一辺に相対する他の一辺の延長上に弾性部材を介して取り付けられた一対のプラグ保持舌片で構成され、該一対のプラグ保持舌片は、前記対向空間内に位置するときは前記弾性部材によって互いに離反する方向に付勢されており、前記対向空間から突出した状態のときは前記弾性部材によって互いに離反動作を行い、該突出状態で前記バイパスプラグに係止可能な状態となり、前記収納状態で前記バイパスプラグを挟持係止する構成を有し、前記バイパスプラグは、前記引き抜き動作中及び引き抜かれた後は、前記プラグ保持舌片を介して前記一対の脚部間に略隙間なく挟持係止されることを特徴とする。
【００１９】
かかる構成を採用することにより、ベース部材の一対の脚部の対応空間内を移動可能な可動部材を前進動作させて突出可能部によりバイパスプラグを係止し、その後可動部材を後進動作させれば、一対の脚部の先端を無停電端子に当接させながら、無停電端子に差し込まれているバイパスプラグを容易に引き抜くことが可能となる。
【００２０】
更に、前記可動部材の移動構造は、前記一対の脚部の対向空間側にそれぞれ設けた溝部に、可動部材本体部の側部が摺動移動可能に嵌挿されて構成され、可動部材は脚部に設けられた溝部と可動部材本体部とによりベース部材の一対の脚部の対応空間内を円滑に摺動移動できることとなる。
【００２１】
また、前記突出可能部は、前記一対の溝部に嵌挿された前記可動部材本体部の一辺及び該一辺に相対する他の一辺の延長上に弾性部材を介して取り付けられた一対のプラグ保持舌片で構成され、該一対のプラグ保持舌片は、前記対向空間内に位置するときは前記弾性部材によって互いに離反する方向に付勢されており、前記対向空間から突出した状態のときは前記弾性部材によって互いに離反動作するので、バイパスプラグを一対のプラグ保持舌片に係止させる場合、バイパスプラグと一対のプラグ保持舌片の位置を合わせ、その後可動部材を後進動作させると、一対のプラグ保持舌片はバイパスプラグの外側を直ちに挟持係止できることとなる。
【００２２】
請求項２に記載のように、前記プラグ保持舌片の前記対向空間側面は、前記対向空間内への収納状態のときに係止すべきバイパスプラグの外側形状に係合する形状を有することを特徴とするので、バイパスプラグが確実にバイパスプラグ保持舌片に挟持係止されることとなる。
【００２３】
請求項３に記載のように、前記可動部材には、該可動部材を移動させるための一対の操作レバーが取り付けられていることを特徴とするので、可動部材は一対の脚部の対向空間内を一層容易に移動できることとなり、バイパスプラグを一層容易に引き抜くことが可能となる。
【発明の効果】
【００２４】
本発明のプラグ引き抜き工具によると、ベース部材の一対の脚部の対応空間内を移動可能な可動部材を前進動作させて突出可能部によりバイパスプラグを係止し、その後可動部材を後進動作させれば、一対の脚部の先端を無停電端子に当接させながら、無停電端子に差し込まれているバイパスプラグを容易に引き抜くことが可能となる。
【発明を実施するための最良の形態】
【００２５】
本発明の実施の形態を、以下図面を参照しながら詳述する。なお、本発明は以下に説明する実施の形態に限定されるものではない。なお、無停電端子とバイパスプラグは、図４〜６で説明したものと同じものを想定している。
【００２６】
図１は、本発明のプラグ取り外し工具に係り、同図（ａ）は正面図、同図（ｂ）は左側面図、同図（ｃ）は上面図である。プラグ取り外し工具１は、大きく分けてベース部材１０と可動部材３０とから構成される。
【００２７】
ベース部材１０は、非導電性の材料で製作されており、一対の脚部１９、ベース部材本体部１８、保持部２０を有する。一対の脚部１９は、ベース部材本体部１８から間隔Ａを保ち、長さＢだけ平行に延出しており、先端が無停電端子に当接する端子接触部１４となっている。両脚部１９の間隔Ａは、バイパスプラグ８５０の横幅に略等しい。また、ベース部材本体部１８からの所定の長さＢは、バイパスプラグ８５０の頭部８５６の上端面から端子８５１、８５２の先端までの長さに、可動部材本体部３６の移動方向の長さを足した長さに略等しいか、それよりも長くなるように構成されている。
【００２８】
一対の脚部１９の対向空間側には、溝部１２が形成されており、この溝部１２に可動部材本体部３６の側部が摺動移動可能に嵌挿されて、可動部材本体部３６が摺動移動できるように構成されている。また、端子接触部１４を無停電端子８００に接触させ、ベース部材１０を保持するための保持部２０がベース部材本体部１８の一対の脚部１９が延出している側と反対の側にベース部材本体部１８と連続して設けられている。作業者は、この保持部２０を手のひらに当てながら作業を行うこととなる。
【００２９】
また、可動部材３０は、前進動作で一対の脚部１９の先端から突出し、後進動作で一対の脚部１９の対向空間に収納される突出可能部３３を有する。この突出可能部３３は、一対の溝部１２に嵌挿された可動部材本体部３６の一辺及びこの一辺に相対する他の一辺の延長上に設けられた連結部材３４と、この連結部材３４を介して取り付けられた一対のプラグ保持舌片３２とで構成されている。ここで、連結部材３４は弾性部材で製作されている。本実施の形態では、一例として連結部材３４を略長方形状の板バネで製作し、プラグ保持舌片３２を非導電材料で製作した。なお、可動部材本体部３６も非導電材料で製作されている。
【００３０】
ここで、図１（ｂ）に示すように可動部材本体部３６の厚さはＤであり、バイパスプラグ８５０の頭部８５６の厚さに略等しい。なお、ベース部材１０の厚さＣは、引き抜くべきバイパスプラグ８５０と摺動移動する可動部材３０の大きさ等を考慮して適宜決定することができるが、厚すぎるとベース部材１０が扱い難くなり、薄すぎるとベース部材１０の強度が低下することになる。
【００３１】
プラグ保持舌片３２は、前述のように一対の溝部１２に嵌挿された可動部材本体部３６の一辺及びこの一辺に相対する他の一辺の延長上に連結部材３４を介して、溝部１２内を移動可能に設けられており、一対のプラグ保持舌片３２は、対向空間内に位置するときは連結部材３４によって互いに離反する方向に付勢されており、対向空間から突出した状態のときは連結部材３４によって互いに離反動作するように構成されている。なお、図１（ａ）において、プラグ保持舌片３２が離反動作していない可動部材３０が示されているが、これはベース部材１０に収納された可動部材３０の様子を示したものであり、実際には後述する図２（ａ）に示すように離反動作する。
【００３２】
また、一対のプラグ保持舌片３２の対向空間側面は、その対向空間内への収納状態のときに、バイパスプラグ８５０の両外側を挟持係止できるように構成されている。具体的には、バイパスプラグ８５０の頭部８５６下の凹部８５７を含めた外側の形状にちょうど係合する形状を有している。
【００３３】
更に、一対のプラグ保持舌片３２がバイパスプラグ８５０を挟持係止したときに、一対の連結部材３４の間にバイパスプラグ８５０の頭部８５６が位置するように構成され、一対のプラグ保持舌片３２がバイパスプラグ８５０の２つの端子８５１、８５２を保持固定している略直方体の絶縁本体部８５５の両側を係止したとき、一対のプラグ保持舌片３２の間隔は一対の脚部１９の間隔に略等しい。これにより、バイパスプラグ８５０と一対の脚部１９との間には余分な空間が生じることがなく、バイパスプラグ８５０を引き抜くために印加された力が効率的にバイパスプラグ８５０を引き抜くことに用いられることとなる。
【００３４】
可動部材本体部３６には一対の操作レバー３８がバイパスプラグ８５０を抜き抜く方向と直交し、一対の脚部１９を含まない方向に設けられており、この操作レバー３８に指を掛けて可動部材３０を操作することが可能である。なお、可動部材３０は一対の脚部１９の溝部１２内を移動するが、可動部材本体部３６がベース部材本体部１８の可動阻止部１６に当接すれば、それ以上は移動できない。なお、この可動阻止部１６に螺子等を設けて可動部材３０が可動できる範囲を調整できるように構成することも可能である。また、可動部材３０を操作レバー３８によって、バイパスプラグ８５０の前進動作、即ち引き抜き方向とは逆の方向に操作し続けると、突出可能部３３が一対の脚部１９から突出し、更に前進させると可動部材３０はベース部材１０から離脱することとなる。離脱した可動部材３０は、容易にベース部材１０に再挿入することが可能である。
【００３５】
プラグ引き抜き工具の使用方法について説明する。図２（ａ）は、バイパスプラグ８５０にプラグ取り外し工具の可動部材３０の一対のプラグ保持舌片３２を係止させる直前の様子を示す説明図である。同図（ｂ）は、バイパスプラグ８５０を引き抜く直前の様子を示す説明図である。図３は、バイパスプラグ８５０を無停電端子８００から完全に引き抜いたときの様子を示す説明図である。
【００３６】
まず、プラグ引き抜き工具の可動部材３０を、操作レバー３８を操作して、一対のプラグ保持舌片３２と連結部３４、即ち突出可能部３３がベース部材１０の一対の脚部１９から突出するまで前進させる。すると、一対のプラグ保持舌片３２は連結部材３４の弾性力により、図２（ａ）に示すように、一対のプラグ保持舌片３２が互いに離反する方向へ付勢されるので、間隔の開いたプラグ保持舌片３２の間にバイパスプラグ８５０の頭部８５６を位置付け、可動部材３０を後進動作させると図２（ｂ）に示すような状態となる。
【００３７】
図２（ｂ）において、一対の脚部１９の端子接触部１４は無停電端子８００に当接すると共に、一対のプラグ保持舌片３２はバイパスプラグ８５０の頭部８５６下の一対の凹部８５７に係合し、バイパスプラグ８５０が突出可能部３３に挟持係止される様子が示されている。
【００３８】
また、バイパスプラグ８５０と一対の脚部１９との間に余分な空間はなく、バイパスプラグ８５０が一対の脚部１９間にきっちり収納される。これにより、バイパスプラグ８５０を引き抜くために印加される力が効率良く引き抜くために用いられることとなる。また、引き抜き中に、バイパスプラグ８５０が一対の脚部１９間から抜け出ることも防止される。
【００３９】
ここで、右手Ｈのひらをベース部材１０の保持部２０に当て、親指Ｈ１をベース部材１０の一方の脚部１９を押さえ、人差し指Ｈ２と中指Ｈ３を一対の操作レバー３８に掛けて、操作レバー３８をバイパスプラグの引き抜き方向へ引いて行くと、図３に示すように、可動部材本体部３６がベース部材本体部１８の可動阻止部１６に当接し、バイパスプラグ８５０を無停電端子８００から完全に引き抜くことができる。この作業中、左手ｈで無停電端子８００を押さえることで、より安全に作業を行うことができる。その後、可動部材３０をバイパスプラグの引き抜き方向と逆の方向へ押し戻し、一対のプラグ保持舌片３２を一対の脚部１９から外に出し、バイパスプラグ８５０を取り出すことができる。
【００４０】
なお、バイパスプラグ８５０を抜いて行く場合に、両端子８５１、８５２が、プラグ端子挿入孔８２２ａ、８２３ａから完全に抜けると、両端子８５１、８５２とプラグ端子挿入孔８２２ａ、８２３ａとの間で生じていた摩擦力が急になくなるが、右手の動作は所謂手を握る動作のみであるから、従来のように反動で右手が自分自身に当ること、又は左手が積算電力計７１０にぶつかることはない。
【００４１】
従って、無停電端子８００及びバイパスプラグ８５０が、積算電力計７１０に接続されたリード線７１２ａ、７１４ａによって、積算電力計７１０の近傍且つ作業者の背丈よりも高い位置の空間に浮いた状態に維持され、両端子８５１、８５２がプラグ端子挿入孔８２２ａ、８２３ａに取り外し困難に挿入されていても、作業者が無停電端子８００に差し込まれているバイパスプラグ８５０を容易且つ安全に引き抜くことが可能である。
【００４２】
なお、本発明は、上述の実施の形態に限定されるものではなく、本発明の趣旨を逸脱しない範囲で種々の変更が可能である。例えば、バイパスプラグの外側形状が実施の形態と異なる場合は、プラグ保持舌片の対向空間側面をそれに合わせて替えることができる。
【図面の簡単な説明】
【００４３】
【図１】本発明のプラグ取り外し工具の正面図（ａ）、左側面図（ｂ）、上面図（ｃ）である。
【図２】図１のプラグ取り外し工具の取り扱いを説明する図であって、図２（ａ）はバイパスプラグに一対のプラグ保持舌片を係止させる直前の説明図、同図（ｂ）はバイパスプラグを引き抜く直前の説明図である。
【図３】本発明のプラグ取り外し工具によりバイパスプラグを引き抜いたときの様子を示す説明図である。
【図４】無停電端子とバイパスプラグの設置の様子を示す説明図である。
【図５】無停電端子の構成を示す概略断面図（ａ）とバイパスプラグの正面図（ｂ）とバイパスプラグの側面図（ｃ）である。
【図６】従来のバイパスプラグの取り外しの様子を示す説明図である。
【符号の説明】
【００４４】
１  バイパスプラグ引き抜き工具
１０  ベース部材
１２  溝部
１４  端子接触部
１８  ベース部材本体部
１９  脚部
２０  保持部
３０  可動部材
３２  プラグ保持舌片
３３  突出可能部
３４  連結部材
３６  可動部材本体部
３８  操作レバー
７１０  積算電力計
８００  無停電端子
８５０  バイパスプラグ
【図１】
0005041911.tif 000002
【図２】
0005041911.tif 000003
【図３】
0005041911.tif 000004
【図４】
0005041911.tif 000005
【図５】
0005041911.tif 000006
【図６】
0005041911.tif 000007